(57)【要約】【課題】医用画像を表示する表示装置において、黒浮やハローによる妨害感や消費電力を抑制しつつ、高い診断精度で医用画像を観察することが可能な表示を行う。【解決手段】発光手段と、前記発光手段からの光を透過することで画像を表示する表示手段と、前記画像における領域を指定するユーザ操作を入力する入力手段と、前記入力手段により入力された前記ユーザ操作に基づき前記発光手段の輝度を制御する制御手段と、を備え、前記制御手段は、前記入力手段により前記ユーザ操作が入力された場合に、前記ユーザ操作が入力される前の前記発光手段の輝度よりも高い輝度で前記発光手段を発光させる表示装置。【選択図】図１
2015222422.tif 000002
【特許請求の範囲】
【請求項１】
発光手段と、
前記発光手段からの光を透過することで画像を表示する表示手段と、
前記画像における領域を指定するユーザ操作を入力する入力手段と、
前記入力手段により入力された前記ユーザ操作に基づき前記発光手段の輝度を制御する制御手段と、
を備え、
前記制御手段は、前記入力手段により前記ユーザ操作が入力された場合に、前記ユーザ操作が入力される前の前記発光手段の輝度よりも高い輝度で前記発光手段を発光させる表示装置。
【請求項２】
前記制御手段は、前記指定された領域がその他の領域よりも明るく表示されるように、前記発光手段を発光させる請求項１に記載の表示装置。
【請求項３】
前記制御手段は、前記画像の特徴量に基づき前記発光手段の輝度を決定するとともに、前記指定された領域を当該画像の特徴量に基づき決定した輝度より高い輝度で発光させる請求項１又は２に記載の表示装置。
【請求項４】
前記制御手段は、
前記入力手段により前記ユーザ操作が入力されない場合、前記画像の特徴量に応じて第１の輝度範囲で前記発光手段の輝度を設定し、
前記入力手段により前記ユーザ操作が入力された場合、前記画像の特徴量に応じて、前記第１の輝度範囲よりも少なくとも高輝度側に広い第２の輝度範囲で輝度を設定する請求項１〜３のいずれか１項に記載の表示装置。
【請求項５】
前記発光手段の輝度に応じて前記画像を補正する補正手段を更に備える請求項１〜４のいずれか１項に記載の表示装置。
【請求項６】
前記補正手段は、前記制御手段によりも高くされた前記発光手段の輝度に応じた階調の補正を前記画像に対して施す請求項５に記載の表示装置。
【請求項７】
前記補正手段は、ＤＩＣＯＭカーブを用いて画像の補正を行う請求項５又は６に記載の表示装置。
【請求項８】
前記指定された領域ではない領域の画像に対し、前記第１の輝度範囲に対応するＤＩＣＯＭカーブを用いて補正を行い、前記指定された領域の画像に対し、前記第２の輝度範囲に対応するＤＩＣＯＭカーブを用いて補正を行う補正手段を更に備える請求項４に記載の表示装置。
【請求項９】
前記画像は、前記指定された領域の画像を拡大した拡大画像を含む画像であり、
前記入力手段は、前記拡大画像の情報又は前記拡大画像の領域の情報を入力し、
前記制御手段は、前記拡大画像の領域がその他の領域よりも明るく表示されるように、前記発光手段を発光させる請求項１〜８のいずれか１項に記載の表示装置。
【請求項１０】
前記入力手段は、他の表示装置で表示する画像においてユーザが指定した領域である第１指定領域の情報、又は、前記第１指定領域に対応する、自機の表示手段で表示する画像における領域である第２指定領域の情報を入力し、
前記制御手段は、前記第２指定領域がその他の領域よりも明るく表示されるように、前記発光手段を発光させる請求項１〜８のいずれか１項に記載の表示装置。
【請求項１１】
前記他の表示装置で表示する画像と自機で表示する画像とは同じオブジェクトを撮影した画像であり、前記第１指定領域の画像と前記第２指定領域の画像とは前記オブジェクトの同じ撮影条件の画像である請求項１０に記載の表示装置。
【請求項１２】
前記入力手段が前記第１指定領域の情報を入力した場合、
前記制御手段は、前記第１指定領域の情報と、前記他の表示装置の発光手段の情報と、自機の発光手段の情報と、に基づき、前記第２指定領域を求める請求項１０又は１１に記載の表示装置。
【請求項１３】
前記発光手段は、個別に輝度を制御可能な複数のブロックを有し、
前記制御手段は、前記画像における前記各ブロックに対応する領域である分割領域の特徴量に応じて前記各ブロックの輝度を設定し、前記指定された領域に対応するブロックを前記設定した輝度よりも高い輝度で発光させる請求項１〜３のいずれか１項に記載の表示装置。
【請求項１４】
前記制御手段は、前記指定された領域に対応するブロックをその他のブロックよりも高い輝度で発光させる請求項１３に記載の表示装置。
【請求項１５】
前記制御手段は、前記画像の特徴量に基づきブロック毎に前記発光手段の輝度を決定するとともに、前記指定された領域に対応するブロックを、当該画像の特徴量に基づき決定した輝度より高い輝度で発光させる請求項１３又は１４に記載の表示装置。
【請求項１６】
前記制御手段は、
前記入力手段により前記ユーザ操作が入力されない場合、前記分割領域の特徴量に応じて第１の輝度範囲で前記各ブロックの輝度を設定し、
前記入力手段により前記ユーザ操作が入力された場合、前記指定された領域に対応するブロックについては、分割領域の特徴量に応じて、前記第１の輝度範囲よりも少なくとも高輝度側に広い第２の輝度範囲で輝度を設定する請求項１３〜１５のいずれか１項に記載の表示装置。
【請求項１７】
前記各ブロックの輝度に応じて前記各ブロックに対応する分割領域の画像を補正する補正手段を更に備える請求項１３〜１６のいずれか１項に記載の表示装置。
【請求項１８】
前記補正手段は、前記制御手段によりも高くされたブロックの輝度に応じた階調の補正を、前記ブロックに対応する分割領域に対して施す請求項１７に記載の表示装置。
【請求項１９】
前記補正手段は、ＤＩＣＯＭカーブを用いて画像の補正を行う請求項１７又は１８に記載の表示装置。
【請求項２０】
指定された領域ではない分割領域の画像に対し、前記第１の輝度範囲に対応するＤＩＣＯＭカーブを用いて、対応するブロックの輝度に応じて補正を行い、前記指定された領域の画像に対し、前記第２の輝度範囲に対応するＤＩＣＯＭカーブを用いて、対応するブロックの輝度に応じて補正を行う補正手段を更に備える請求項１６に記載の表示装置。
【請求項２１】
前記画像は、前記指定された領域の画像を拡大した拡大画像を含む画像であり、
前記入力手段は、前記拡大画像の情報又は前記拡大画像の領域に対応するブロックの情報を入力し、
前記制御手段は、前記拡大画像の領域に対応するブロックをその他の領域に対応するブロックの輝度よりも高い輝度で発光させる請求項１３〜２０のいずれか１項に記載の表示
装置。
【請求項２２】
前記入力手段は、他の表示装置で表示する画像においてユーザが指定した領域である第１指定領域の情報、前記第１指定領域に対応する、自機の表示手段で表示する画像における領域である第２指定領域の情報、又は前記第２指定領域に対応する自機の発光手段のブロックの情報を入力し、
前記制御手段は、前記第２指定領域に対応する自機の発光手段のブロックをその他の領域に対応するブロックの輝度よりも高い輝度で発光させる請求項１３〜２０のいずれか１項に記載の表示装置。
【請求項２３】
前記入力手段が前記第１指定領域の情報を入力した場合、
前記制御手段は、前記第１指定領域の情報と、前記他の表示装置の発光手段のブロックの情報と、自機の発光手段のブロックの情報と、に基づき、前記第２指定領域に対応する自機の発光手段のブロックを求める請求項２２に記載の表示装置。
【請求項２４】
前記指定された領域は、１又は複数の分割領域からなり、
前記指定された領域に対応するブロックは、前記１又は複数の分割領域に対応するブロックである請求項１３〜２３のいずれか１項に記載の表示装置。
【請求項２５】
前記指定された領域に対応するブロックは、前記指定された領域の少なくとも一部を包含する１又は複数の分割領域に対応するブロックである請求項１３〜２３のいずれか１項に記載の表示装置。
【請求項２６】
前記表示手段は液晶パネルであり、
前記発光手段はバックライトである請求項１〜２５のいずれか１項に記載の表示装置。
【請求項２７】
前記画像における領域を指定するユーザ操作とは、ユーザが注目したい領域を指定する操作である請求項１〜２６のいずれか１項に記載の表示装置。
【請求項２８】
発光手段と、
前記発光手段からの光を透過することで画像を表示する表示手段と、
前記発光手段の輝度を設定する設定手段と、
前記画像における領域を指定するユーザ操作を入力する入力手段と、
前記入力手段により入力された前記ユーザ操作と前記設定手段により設定される輝度とに基づき前記発光手段の発光を制御する制御手段と、
を備え、
前記ユーザ操作により領域が指定された場合に、前記指定された領域は、その他の領域よりも明るく表示される表示装置。
【請求項２９】
発光手段を有する表示装置に画像を出力する出力装置であって、
前記表示装置の前記発光手段の情報を取得する取得手段と、
前記画像における領域を指定するユーザ操作を入力する入力手段と、
前記発光手段の情報に基づき、前記指定された領域に対応する前記表示装置の前記発光手段の領域を求め、当該指定された領域をそれ以外の領域よりも明るく表示するための情報と前記画像とを前記表示装置へ出力する出力手段と、
を備える出力装置。
【請求項３０】
前記指定された領域をそれ以外の領域より明るく表示するための情報は、前記指定された領域に対応する前記表示装置の前記発光手段の領域をそれ以外の領域よりも高い輝度で発光させるための情報を含む請求項２９に記載の出力装置。
【請求項３１】
前記取得手段は、前記発光手段が有する個別に輝度を制御可能な複数のブロックの情報を取得し、
前記出力手段は、前記ブロックの情報に基づき、前記指定された領域に対応する前記表示装置の前記発光手段のブロックを求め、当該ブロックを他のブロックよりも高い輝度で発光させるための情報と前記画像とを前記表示装置へ出力する請求項２９又は３０に記載の出力装置。
【請求項３２】
前記画像に、前記指定された領域の画像を拡大した拡大画像を含む画像を生成する生成手段を備え、
前記出力手段は、前記拡大画像の領域に対応するブロックを求め、当該拡大画像の領域に対応するブロックを他のブロックよりも高い輝度で発光させるための情報と、前記生成手段により生成された画像と、を前記表示装置へ出力する請求項３１に記載の出力装置。
【請求項３３】
前記出力装置は、発光手段を有する第１の表示装置と第２の表示装置に第１画像と第２画像をそれぞれ出力し、
前記取得手段は、前記第１の表示装置の発光手段のブロックの情報と前記第２の表示装置の発光手段のブロックの情報とを取得し、
前記入力手段は、前記第１画像における領域を指定するユーザ操作を入力し、
前記出力手段は、
前記第１の表示装置のブロックの情報と前記第２の表示装置のブロックの情報とに基づき、前記指定された前記第１画像における領域である第１指定領域に対応する前記第２画像における領域である第２指定領域を求め、
前記第１指定領域に対応する前記第１の表示装置の発光手段のブロックを前記第１の表示装置の発光手段の他のブロックよりも高い輝度で発光させるための情報と前記第１画像とを前記第１の表示装置へ出力し、
前記第２指定領域に対応する前記第２の表示装置の発光手段のブロックを前記第２の表示装置の発光手段の他のブロックよりも高い輝度で発光させるための情報と前記第２画像とを前記第２の表示装置へ出力する請求項３１に記載の出力装置。
【請求項３４】
前記第１画像と前記第２画像とは同じオブジェクトを撮影した画像であり、前記第１指定領域の画像と前記第２指定領域の画像とは前記オブジェクトの同じ撮影条件の画像である請求項３３に記載の出力装置。
【請求項３５】
前記画像における前記各ブロックに対応する領域を分割領域とした場合、
前記指定された領域は、１又は複数の分割領域からなり、
前記指定された領域に対応するブロックは、前記１又は複数の分割領域に対応するブロックである請求項３１〜３４のいずれか１項に記載の出力装置。
【請求項３６】
前記画像における前記各ブロックに対応する領域を分割領域とした場合、
前記指定された領域に対応するブロックは、前記指定された領域の少なくとも一部を包含する１又は複数の分割領域に対応するブロックである請求項３１〜３４のいずれか１項に記載の出力装置。
【請求項３７】
前記第１の表示装置の発光手段のブロックの数と前記第２の表示装置の発光手段のブロックの数とが異なり、前記第２の表示装置の発光手段の各ブロックに対応する前記第２画像の領域を第２分割領域として、前記第２指定領域が複数の前記第２分割領域にまたがる場合、前記第２指定領域に対応する前記第２の表示装置の発光手段のブロックは、当該複数の第２分割領域に対応する前記第２の表示装置の発光手段の複数のブロックである請求項３３又は３４に記載の出力装置。
【請求項３８】
前記発光手段が有する複数のブロックの情報を予め記憶する記憶手段を更に備え、
前記取得手段は、前記記憶手段から前記発光手段が有する複数のブロックの情報を取得する請求項３１〜３７のいずれか１項に記載の出力装置。
【請求項３９】
発光手段と、前記発光手段からの光を透過することで画像を表示する表示手段と、を有する表示装置と、
前記表示装置に画像を出力する出力装置と、
からなる表示システムであって、
前記出力装置は、
前記表示装置から前記発光手段の情報を取得する取得手段と、
前記画像における領域を指定するユーザ操作を入力する入力手段と、
前記入力手段により入力された前記ユーザ操作の情報と前記画像とを前記表示装置へ出力する出力手段と、を備え、
前記表示装置は、
前記出力装置から前記ユーザ操作の情報と前記画像とを入力する入力手段と、
前記入力手段により入力されるユーザ操作の情報に基づき前記発光手段の輝度を制御する制御手段と、
を備え、
前記制御手段は、前記入力手段により前記ユーザ操作の情報が入力された場合に、前記ユーザ操作の情報が入力される前の前記発光手段の輝度よりも高い輝度で前記発光手段を発光させる、表示システム。
【請求項４０】
発光手段と、
前記発光手段からの光を透過することで画像を表示する表示手段と、
を備える表示装置の制御方法であって、
前記画像における領域を指定するユーザ操作を入力する入力工程と、
前記入力工程により入力された前記ユーザ操作に基づき前記発光手段の輝度を制御する制御工程と、
を有し、
前記制御工程では、前記入力工程により前記ユーザ操作が入力された場合に、前記ユーザ操作が入力される前の前記発光手段の輝度よりも高い輝度で前記発光手段を発光させる表示装置の制御方法。
【請求項４１】
発光手段を有する表示装置に画像を出力する出力装置の制御方法であって、
前記表示装置の前記発光手段の情報を取得する取得工程と、
前記画像における領域を指定するユーザ操作を入力する入力工程と、
前記発光手段の情報に基づき、前記指定された領域に対応する前記表示装置の前記発光手段の領域を求め、当該指定された領域をそれ以外の領域よりも明るく表示するための情報と前記画像とを前記表示装置へ出力する出力工程と、
を有する出力装置の制御方法。
【発明の詳細な説明】
【技術分野】
【０００１】
本発明は、表示装置及びその制御方法に関する。
【背景技術】
【０００２】
液晶デバイスを用いた表示装置において、画面を複数のバックライトのブロックに分割し、画像データに基づいてバックライトの輝度と液晶の透過率を制御する技術がある（例えば、特許文献１参照。以下、ローカルディミングという）。ローカルディミングにより、画像の暗部の黒浮を抑制し、コントラストを改善することができる。レントゲン等の撮影画像を表示する表示装置において、暗い背景領域と被写体が含まれる診断領域を判別し、背景領域のバックライトの輝度を低下させる技術が提案されている（特許文献２）。
【０００３】
一方、医用画像の表示用途では、より明るい表示装置が要求されている。その理由は、医用画像機器の規格であるＤＩＣＯＭ（Digital Imaging and Communication in Medicine）で定められたＪＮＤ（Just Noticeable Difference）値を多くとれるからである。Ｊ
ＮＤ値とは、ある条件のもとで、平均的な観察者が識別可能な最小輝度差を示しており、ＤＩＣＯＭでは０．０５cd／m2から４０００cd／m2の間で定められている。規格では、整数のＪＮＤ値と輝度との対応関係が定められている（図３（ｂ）参照）。図３（ｂ）からわかるように、同じコントラスト比のディスプレイであれば、輝度が高いほどＪＮＤ値のとれる範囲が多くなる。これは、医用画像診断する際に階調分解能が高くなることを示しており、バックライトの輝度を高くして、より明るいモニタを用いることで、診断精度の向上につながる。
【先行技術文献】
【特許文献】
【０００４】
【特許文献１】特開２００２−９９２５０号公報
【特許文献２】特開２０１３−１４８８７０号公報
【発明の概要】
【発明が解決しようとする課題】
【０００５】
しかしながら、常時、バックライトの輝度を高くすると、撮影画像に含まれるオブジェクト画像の部分以外の背景部分の黒が明るくなってしまい、黒浮きが目立つことで妨害感が強くなる。またローカルディミング処理を行って診断領域以外の背景領域を暗くしても、明るい領域と暗い領域の輝度差が大きくなり、明るいバックライトの光が暗い領域に漏れることで生じるハロー現象も目立ってしまう。また、常時、バックライトの輝度を高くすると、消費電力が高くなる。
【０００６】
そこで、本発明では、医用画像を表示する表示装置において、黒浮やハローによる妨害感や消費電力を抑制しつつ、高い診断精度で医用画像を観察することが可能な表示を行うことを目的とする。
【課題を解決するための手段】
【０００７】
本発明は、発光手段と、
前記発光手段からの光を透過することで画像を表示する表示手段と、
前記画像における領域を指定するユーザ操作を入力する入力手段と、
前記入力手段により入力された前記ユーザ操作に基づき前記発光手段の輝度を制御する制御手段と、
を備え、
前記制御手段は、前記入力手段により前記ユーザ操作が入力された場合に、前記ユーザ操作が入力される前の前記発光手段の輝度よりも高い輝度で前記発光手段を発光させる表示装置である。
【０００８】
本発明は、発光手段を有する表示装置に画像を出力する出力装置であって、
前記表示装置の前記発光手段の情報を取得する取得手段と、
前記画像における領域を指定するユーザ操作を入力する入力手段と、
前記発光手段の情報に基づき、前記指定された領域に対応する前記表示装置の前記発光手段の領域を求め、当該指定された領域をそれ以外の領域よりも明るく表示するための情報と前記画像とを前記表示装置へ出力する出力手段と、
を備える出力装置である。
【０００９】
本発明は、発光手段と、前記発光手段からの光を透過することで画像を表示する表示手段と、を有する表示装置と、
前記表示装置に画像を出力する出力装置と、
からなる表示システムであって、
前記出力装置は、
前記表示装置から前記発光手段の情報を取得する取得手段と、
前記画像における領域を指定するユーザ操作を入力する入力手段と、
前記入力手段により入力された前記ユーザ操作の情報と前記画像とを前記表示装置へ出力する出力手段と、を備え、
前記表示装置は、
前記出力装置から前記ユーザ操作の情報と前記画像とを入力する入力手段と、
前記入力手段により入力されるユーザ操作の情報に基づき前記発光手段の輝度を制御する制御手段と、
を備え、
前記制御手段は、前記入力手段により前記ユーザ操作の情報が入力された場合に、前記ユーザ操作の情報が入力される前の前記発光手段の輝度よりも高い輝度で前記発光手段を発光させる、表示システムである。
【００１０】
本発明は、発光手段と、
前記発光手段からの光を透過することで画像を表示する表示手段と、
を備える表示装置の制御方法であって、
前記画像における領域を指定するユーザ操作を入力する入力工程と、
前記入力工程により入力された前記ユーザ操作に基づき前記発光手段の輝度を制御する制御工程と、
を有し、
前記制御工程では、前記入力工程により前記ユーザ操作が入力された場合に、前記ユーザ操作が入力される前の前記発光手段の輝度よりも高い輝度で前記発光手段を発光させる表示装置の制御方法である。
【００１１】
本発明は、発光手段を有する表示装置に画像を出力する出力装置の制御方法であって、
前記表示装置の前記発光手段の情報を取得する取得工程と、
前記画像における領域を指定するユーザ操作を入力する入力工程と、
前記発光手段の情報に基づき、前記指定された領域に対応する前記表示装置の前記発光手段の領域を求め、当該指定された領域をそれ以外の領域よりも明るく表示するための情報と前記画像とを前記表示装置へ出力する出力工程と、
を有する出力装置の制御方法である。
【発明の効果】
【００１２】
本発明によれば、医用画像を表示する表示装置において、黒浮やハローによる妨害感や消費電力を抑制しつつ、高い階調分解能で観察対象の画像を表示することができる。
本発明の他の特徴については以下に記す添付図面への参照を伴う実施例の記載において明らかにされる。
【図面の簡単な説明】
【００１３】
【図１】実施例１に係る表示システムの構成図
【図２】実施例１に係る入力画像と特徴量及び領域判定の例
【図３】ＪＮＤ値と輝度の関係及び補正用データの例
【図４】実施例１に係る注目領域の指示のイメージ図
【図５】実施例１に係るバックライト点灯イメージ及び制御値の例
【図６】実施例１に係るビューアの機能ブロック図
【図７】実施例２に係るビューアの機能ブロック図
【図８】実施例２に係る注目領域の拡大表示のイメージ
【図９】実施例３に係る表示システムの構成図
【図１０】実施例３に係るビューアの機能ブロック図
【図１１】実施例３に係る表示装置の表示イメージ
【図１２】実施例３に係る特徴量の例
【発明を実施するための形態】
【００１４】
（実施例１）
実施例１では、ユーザ（例えば医師）が、ワークステーション等に搭載されるビューアアプリケーションにおいて、注目して診断したい領域（注目領域）を指定する。表示装置は、ビューアアプリケーションから、ユーザに指定された注目領域（指定領域）の情報を取得し、注目領域に対応する位置のバックライトの輝度を周囲よりも高くする。これにより、注目領域ではＪＮＤ値のとれる値の範囲が広くなるため、高い階調分解能で表示を行うことができ、精度の高い診断が可能となる。また、指定された注目領域のバックライトのみ輝度を高くするので、妨害感と消費電力を低減することができる。
【００１５】
図１は実施例１における表示システムの機能ブロック図を示す。図１の表示システムは、表示装置１、ワークステーション１３で構成される。表示装置１は、液晶パネル部２、バックライトモジュール部３、特徴量検出部４、制御部５、診断領域判定部６、輝度決定部７、制御値決定部８、データ補正部９を有する。ワークステーション１３は、データ入出力部１４、ビューア１５、画像・データ入出力部１６、入力装置１７を有する。なお、図１において、括弧書きで示した符号（ワークステーション２００、ビューア２０１）は、実施例２で参照する符号である。以下、表示装置１、ワークステーション１３の機能について説明する。
【００１６】
表示装置１の液晶パネル部２は、液晶ドライバ、及び入力画像データを受けて液晶ドライバをコントロールするコントロール基板、バックライトからの光を画像データに基づく透過率で透過することで画像を表示する液晶パネルで構成される。なお、本発明は液晶パネルを有する表示装置に限らない。バックライトを用いる表示装置であれば本発明を適用でき、例えばＭＥＭＳ（Micro Electro Mechanical Systems）シャッター方式の表示パネルを有する表示装置にも適用できる。
【００１７】
バックライトモジュール部３は、光源、光源を制御する制御回路、光源からの光を拡散させるための光学ユニットで構成される。バックライトは、発光の輝度を個別に制御可能な複数のブロックからなり、各ブロックは１又は複数の光源からなる。ブロックの数は、横ｍ、縦ｎ（ｍ、ｎは整数）とする。実施例１のバックライトは、横１０×縦７の計７０個のブロックからなるものとする。また、バックライトの各ブロックの光源は、制御値決
定部８で決定したバックライト制御値に応じた輝度で点灯するよう駆動される。光源は例えばＬＥＤ（Light Emitting Diode）が用いられるが、輝度を制御可能な光源であればＬＥＤに限られない。
【００１８】
特徴量検出部４では、入力される画像をバックライトの各ブロックに対応する領域に分割し、分割領域毎の特徴量を検出する。特徴量検出部４は、検出した特徴量を後段の診断領域判定部６へ送る。実施例１では、特徴量検出部４は、特徴量として、各分割領域のＲＧＢ値の最大値を検出する。入力画像データが図２の場合で説明する。図２（ａ）は入力画像の例を示し、図２（ｂ）は、図２（ａ）の画像が入力された場合に特徴量検出部４で検出される各分割領域のＲＧＢ値の最大値を示す。図２（ｂ）の水平方向の１から１０の数値、及び垂直方向の１から７の数値は水平方向、垂直方向の分割領域の座標を示す。画像データのＲ、Ｇ、Ｂ値は１０ｂｉｔとする。画像データの階調は０〜１０２３である。図２（ａ）において、画面上部のオブジェクト１５０はビューアアプリケーションにより出力されるＧＵＩ（Graphical User Interface）を構成する画像である。ＧＵＩには例えばメニュー画像等が含まれる。オブジェクト１５１は、レントゲン等の撮影により得られた撮影画像における診断対象（撮影対象）のオブジェクトの画像（以下、オブジェクト画像という）を示す。
【００１９】
図２（ｂ）に示すように、撮影画像のうちオブジェクト画像がある分割領域の特徴量は６４０、ビューアアプリケーション画面を構成するメニュー画像の部分に対応する分割領域の特徴量は３８４である。撮影画像において、オブジェクト１５１以外の背景部分に対応する分割領域の特徴量は８０である。ビューアアプリケーション画面において、撮影画像が配置されるウィンドウの背景部分（ＧＵＩの背景部分）に対応する分割領域の特徴量は０である。特徴量検出部４は、検出した各分割領域の特徴量を診断領域判定部６へ送る。なお、実施例１では、特徴量検出部４は、特徴量として各分割領域のＲＧＢ値の最大値を検出したが、検出する特徴量はこれに限らない。例えばある基準より明るい画素の数や、分割領域内の画素の明るさの平均値でもよい。入力画像はカラー画像でもモノクロ画像（グレースケール画像）でも良い。
【００２０】
制御部５は、ワークステーション１３に対し、バックライトのブロック分割数及びブロックの座標を送る。制御部５は、ワークステーション１３から、ユーザにより指定された注目領域の座標を取得する。制御部５は、取得した注目領域の座標及び注目領域に対応するバックライトのブロック（ブーストブロックという）の輝度（ブースト輝度とする）を輝度決定部７に送る。制御部５は、診断領域と背景領域に対応するブロックのバックライトの輝度を輝度決定部７に送る。診断領域、背景領域、及び注目領域は、入力画像の領域であり、後述するように、診断領域であるか背景領域であるかは画像の特徴量に基づき診断領域判定部６により判定される。注目領域は、ユーザにより指定される領域である。
【００２１】
制御部５は、診断領域、背景領域、及び注目領域に対応するバックライトのブロックに適用される輝度の情報を保持している。診断領域、背景領域、及び注目領域に対応するバックライトのブロックに適用される輝度は、予め決められた値としてもよいし、ワークステーションで動作するビューアアプリケーションを用いてユーザが指定してもよい。制御部５は、データ補正部９に対し、補正用データ及び注目領域の座標を送る。以下、制御部５が作成する補正用データについて詳細に説明する。
【００２２】
医用画像機器のための規格であるＤＩＣＯＭが定めたＪＮＤ値と輝度の関係を図３（ａ）に示す。図３（ａ）のグラフはＤＩＣＯＭカーブとも呼ばれる。図３（ａ）の横軸はＪＮＤ値、縦軸は輝度である。この規格では、ＪＮＤ値の範囲は１〜１０２３、輝度の範囲は０．０５cd／m2〜４０００cd／m2である。しかしながら、液晶パネルを用いた表示装置の輝度の範囲は限られている。例えば、表示装置の輝度の範囲が０．５〜５００cd／m2の
場合、ＪＮＤ値は４６〜７０６の範囲となり、分解能は６４０となる。それに対し、表示装置の輝度が２倍になり、１〜１０００cd／m2の場合、ＪＮＤ値は７１〜８１１の範囲となり、分解能は７３０となる。
【００２３】
このように、表示装置の輝度を上げることでＪＮＤ値の範囲が広くなり分解能は高くなるが、ＪＮＤ値と輝度の関係は図３（ａ）からわかるように、輝度の範囲によって形状が異なる。そこで、表示装置の輝度の範囲に対応するＪＮＤ値を最小値０〜最大値１０２３の範囲の値として規格化する。また、輝度の範囲も最小値０〜最大値４０９５の範囲の値として規格化する。これにより、入力データ（階調値０〜１０２３）を、出力データ（輝度値０〜４０９５）に変換する。
【００２４】
例えば、実施例１において、通常のブロックの輝度の範囲は０．５〜５００cd／m2とする（第１の輝度範囲）。ここで、「通常のブロック」とは、注目領域として指定されていない分割領域に対応するブロックを意味する。注目領域として指定されていない分割領域に対応するブロックでは、ローカルディミングにより、分割領域の明るさに応じて、第１の範囲内でブロックの輝度が制御される。この第１の輝度範囲に対応するＪＮＤ値の範囲は４６〜７０６である。
【００２５】
ＪＮＤ値と輝度の関係を示すグラフは、図３（ａ）からＪＮＤ値が４６〜７０６の範囲を抜き出した図３（ｂ）に示すようなグラフになる。図３（ｂ）の横軸はＪＮＤ値、縦軸は輝度を示す。図３（ｂ）のＪＮＤ値＝４６を入力階調の最小値０、ＪＮＤ値＝７０６を入力階調の最大値１０２３に割り当てることで規格化する。入力階調が最小値と最大値の間の値、すなわち１から１０２２までの値の場合、４６から７０６の範囲内のいずれかのＪＮＤ値に割り当てられる。例えば、入力階調が４９９の場合、対応するＪＮＤ値は、
（７０６−４６）／１０２４×４９９≒３２１．６
となる。最も近いＪＮＤ値３２２が割り当てられる。ＪＮＤ値３２２に対応する輝度（０．５〜５００cd／m2の値）を０〜４０９５の値に規格化した値が出力値となる。
一方、入力階調が５００の場合、対応するＪＮＤ値は、
（７０６−４６）／１０２４×５００≒３２２．２
となり、入力階調が４９９の場合と同様に、最も近いＪＮＤ値は３２２である。従って、対応する出力値は、ＪＮＤ値３２２に対応する輝度を０〜４０９５の値に規格化した値であり、入力階調が４９９の場合と同じ値となる。
【００２６】
このように、バックライトのブロックの輝度に応じて、ＪＮＤ値と輝度との対応関係に基づき、入力値を変換し、出力する。この変換の入力値と出力値との関係をグラフにすると図３（ｃ）のようになる。データ補正部９は、通常のブロックに対応する分割領域の画像データに対し、この対応関係に基づく変換テーブルを用いて補正する。同様に、制御部５は、ブーストブロックに対応する分割領域（注目領域）の画像データに適用される変換テーブルを有し、データ補正部９は当該変換テーブルを用いて注目領域の画像データを補正する。実施例１では、ブーストブロックの輝度は、通常のブロックの輝度の２倍とする。つまり、ブーストブロックの輝度の範囲は１〜１０００cd／m2であり（第２の輝度範囲）、ＪＮＤ値のとりうる範囲は７１〜８１１である。
【００２７】
第２の輝度範囲は、第１の輝度範囲に対し、高輝度側に広い輝度範囲となっている。また、第２の輝度範囲の最低輝度、最大輝度はともに第１の輝度範囲の最低輝度、最大輝度より高い。注目領域の画像に適用される変換テーブルは、この範囲のＪＮＤ値と０〜１０２３の入力値とを対応付け、第２の輝度範囲の輝度と０〜４０９５の出力値とを対応付けることで作成された変換テーブルである。これらの変換テーブルは、予め作成され、制御部５の記憶領域や図示しない記憶装置に記憶され、制御部５により必要に応じて読み込まれる。
【００２８】
実施例１では、出力値を１２ビットの値とし、入力値の１０ビットに比べビット数を大きくした。ビット数が少ないと、上述した規格化において、特に低階調の入力に対して輝度差が小さくなり、出力輝度値の分解能が不足する。そうすると、輝度範囲を広くしてＪＮＤ値のとれる範囲を広くしても、高い分解能で表示することができなくなり、本発明の効果が十分得られなくなる場合があるからである。制御部５は、このようにして作成される、通常のブロックに対応する分割領域に適用される変換テーブルと、ブーストブロックに対応する分割領域に適用される変換テーブルとを、補正用データとして、データ補正部９に送る。
【００２９】
診断領域判定部６は、入力画像を、バックライトのブロックに対応した領域に分割し、分割領域毎に、背景領域と診断領域の２種類の領域のどちらであるか判定する。判定方法は、例えば、前段の特徴量検出部４で取得した分割領域毎の画素値の最大値と閾値とを比較して判定する方法とする。診断領域判定部６は、画素値の最大値が閾値以上の分割領域を診断領域、画素値の最大値が閾値より小さい分割領域を背景領域と判定する。診断領域判定部６は、判定結果を後段の輝度決定部７へ送る。例えば、特徴量検出部４から受信する分割領域毎の特徴量が図２（ｂ）に示すようになっており、判定用の閾値を９０とすると、各分割領域の診断領域、背景領域の判定結果は図２（ｃ）のようになる。
【００３０】
図２（ｃ）において、診断領域を「１」、背景領域を「０」で示す。図２（ｃ）で診断領域と判定されるのは、ＧＵＩ（メニュー画像）が存在する画像上部と、撮影画像が存在する領域である。なお、特徴量検出部４が、特徴量として、ある基準より明るい画素の数を取得する場合、当該画素の数を判定するための閾値を設定し、画素数が閾値以上の分割領域を診断領域、画素数が閾値より少ない分割領域を背景領域とする。特徴量に基づく診断領域か背景領域かの判定方法はこれに限らない。
【００３１】
輝度決定部７は、診断領域判定部６の判定結果、制御部５からの注目領域の座標、並びに、診断領域、背景領域、及び注目領域の領域種別毎の対応するブロックのバックライトの輝度の設定値に基づき、ブロック毎のバックライトの輝度を決定する。背景領域に対応するブロックの輝度は、診断領域に対応するブロックの輝度より暗くする。これにより、コントラストが向上する。ブーストブロックの輝度は、通常のブロックの輝度より明るくする。
【００３２】
例えば、ローカルディミング制御により、注目領域として指定されていない背景領域に対応するブロックの輝度レベルが１，注目領域として指定されていない診断領域に対応するブロックの輝度レベルが２に制御されるとする。実施例１では、注目領域として指定された分割領域に対しローカルディミング制御により設定される輝度レベルを、注目領域として指定されない場合よりも高くする（例えば、２倍とする）。これにより、ローカルディミングにより、注目領域として指定された背景領域に対応するブロックの輝度レベルは２，注目領域として指定された診断領域に対応するブロックの輝度レベルは４に制御される。背景領域を注目領域として指定することを想定しない場合は、背景領域が注目領域として指定されたときにエラーメッセージを表示する等により、ユーザに注目領域を再度設定させるようにしても良い。この場合、上記の「注目領域として指定された背景領域に対応する輝度レベル」に関しては設定する必要はない。
【００３３】
注目領域に対応するブロックの輝度を通常より高くすることにより、注目領域においてＪＮＤ値を多くとれるようになる。例えば、図２（ａ）の画像を診断中に、図４（ａ）に示すように、ユーザ（例えば医師や読影者）が、ビューアアプリケーションにおいて、注目領域を指定する指示を入力したとする。入力は、ビューアアプリケーションが動作しているワークステーションに接続されたマウスやキーボード等の入力手段を用いて、行われ
る。ビューアアプリケーションは、ユーザにより指定されたこの注目領域の座標情報を表示装置へ送る。注目領域に対応するバックライトのブロックがブーストブロックに設定され、通常のブロックより高い輝度が設定される。
【００３４】
図５（ａ）にブーストブロックが設定される前のバックライトのブロック毎の輝度を示す。図５（ｂ）にブーストブロックが設定された後のバックライトのブロック毎の輝度を示す。ブーストブロックが設定される前の座標（５，４）のブロックは、周囲の診断領域に対応するブロックの輝度と同じ輝度で点灯していたが、ブーストブロックに指定されると、図５（ｂ）に示すように、周囲の診断領域に対応するブロックより明るい輝度で点灯する。
【００３５】
実施例１において、制御部５から設定される領域種別（背景領域、診断領域、注目領域）毎の対応するブロックのバックライトの輝度は、以下の通りとする。診断領域に対応するブロックの輝度は５１２、背景領域に対応するブロックの輝度は５１、ブーストブロックの輝度（ブースト輝度）は１０２３とする。この場合、各ブロックのバックライトの輝度は図５（ｃ）のようになる。なお、実施例１では、輝度の設定値を１０２３とした場合にバックライトは点灯可能な最大輝度で点灯し、輝度の設定値を０とした場合にバックライトは非点灯となるものする。輝度決定部７は、以上のようにしてブロック毎に決定されたバックライトの輝度を制御値決定部８に送る。
【００３６】
制御値決定部８は、輝度決定部７で決定した輝度でバックライトの各ブロックが点灯するように、バックライトの制御値を決定する。例えばバックライトの光源がＬＥＤで構成され、パルス幅変調（ＰＷＭ）方式でＬＥＤの輝度を制御する構成では、制御値決定部８は、パルス幅、すなわち点灯時間をブロック毎のバックライト制御値として決定し、バックライトモジュール部３に送る。
【００３７】
データ補正部９は、制御部５から取得した補正用データを用いて、入力された画像データを補正する。また注目領域が指定された場合、データ補正部９は、制御部５から注目領域の座標を受信し、注目領域用の補正用データを用いて、注目領域の画像データを補正する。データ補正部９は、補正した画像データを液晶パネル部２に出力する。
以上が表示装置１の各機能の説明である。
【００３８】
次にワークステーション１３について説明する。
データ入出力部１４は、図示しない病院内のネットワークと接続しており、同じく図示しないデータ保存サーバからモダリティにより得られた撮影画像や撮影条件の情報を取得する。また、データ入出力部１４は、ビューア１５とも接続しており、ビューア１５から撮影画像の要求を受け付け、且つネットワーク経由で送られてきた撮影画像や撮影条件の情報をビューア１５へ送る。
入力装置１７は、ユーザが、表示装置１に表示されているメニュー等のＧＵＩを操作することにより、ワークステーション１３に指示を入力する装置である。ユーザによる操作の情報は、ビューア１５に送られる。入力装置１７はキーボードや、マウス等である。次にビューア１５について説明する。
【００３９】
ビューア１５の機能ブロックを図６に示す。ビューア１５は、ネットワークＩ／Ｆ１００、ユーザＩ／Ｆ１０１、制御部１０２、画像配置部１０３、画面生成部１０４、入出力Ｉ／Ｆ１０５で構成される。ビューア１５は、これら各ブロックの機能を実現するハードウェアによって実現することもできるし、ワークステーション１３に備わるＣＰＵがプログラムを実行することでこれらのブロックの一部又は全部の機能が実現される構成でも良い。プログラムは、ワークステーション１３に備わる記憶装置に記憶されていても良いし、ネットワークや記憶媒体によりワークステーション１３に供給される構成でも良い。Ｇ
ＵＩを生成する機能の一部は、プログラムがインストールされるＯＳ（Operating System）の機能として実現されても良い。
【００４０】
ネットワークＩ／Ｆ１００は、データ入出力部１４と接続していて、撮影画像や撮影条件の要求を出力し、撮影画像や撮影条件を受信する。ネットワークＩ／Ｆ１００は、受信した撮影画像を画像配置部１０３へ送り、撮影条件を制御部１０２へ送る。
ユーザＩ／Ｆ１０１は、入力装置１７と接続されていて、ユーザによるキーボードやマウスカーソル等の操作を受け付けて、操作内容の情報を制御部１０２へ送る。例えば、メニューを表示中にユーザである医師がマウス操作でメニューを選択する際には、ユーザＩ／Ｆ１０１は、カーソルの移動や、どの座標でクリックしたかの情報を制御部１０２へ送る。
【００４１】
制御部１０２は、ネットワークＩ／Ｆ１００から撮影画像の撮影情報を受信する。撮影情報のうち、画像の解像度（画素数）の情報から、画像配置部１０３に対し、受信した画像を解像度変換して出力するのか、あるいはそのままの解像度で出力するのか指定する。制御部１０２は、画面生成部１０４に対し、メニューやマウスカーソル等のＧＵＩの表示を行うための画像の生成を指示する。制御部１０２は、表示装置１から、入出力Ｉ／Ｆ１０５を介して、バックライトのブロック数、各ブロックの座標の情報を受信する。ユーザから、注目領域を指定する指示が入力された場合、制御部１０２は、注目領域の座標と、表示装置１のバックライトのブロックの座標の情報に基づき、注目領域に対応するバックライトのブロック（ブーストブロック）を決定する。制御部１０２は、決定したブーストブロックの座標の情報を、ブーストブロック座標として、入出力Ｉ／Ｆ１０５を介して表示装置１に送る。
【００４２】
例えば、液晶パネル部２の解像度（画素数）が１９２０×１０８０、バックライトのブロック分割数が図２（ｂ）に示すように水平方向に１０、垂直方向に７であるとする。バックライトの１つのブロックに対応する画像の領域（分割領域）の画素数は、水平方向１９２画素、垂直方向１５４画素である。ユーザが注目領域を指定するための操作としては種々の方法が考えられるが、例えば一点を指定する操作を例に説明する。この場合、ユーザが指定した一点を含む分割領域を注目領域とする。例えば、ユーザが指定した点の座標が（８４８、５２６）の場合、横方向は８４８／１９２≒４．４、縦方向は５２６／１５４≒３．４であるから、注目領域の座標は（５、４）である。制御部１０２は、座標（５，４）の分割領域に対応するバックライトのブロックをブーストブロックとする。なお、ここでは、ユーザが指定した点が存在する分割領域を注目領域とする例を説明したが、ユーザが指定した点が存在する分割領域の周囲の分割領域も注目領域としてもよい。また、ユーザが指定した点の位置が分割領域の中心から離れている場合、ユーザが指定した点に近い分割領域も注目領域としてもよい。注目領域が複数の分割領域からなる場合、ブーストブロックも複数となる。
【００４３】
画像配置部１０３は、ネットワークＩ／Ｆ１００から撮影画像を受信し、また画面生成部１０４からはビューア画面を受信する。また、画像配置部１０３は、制御部１０２から、撮影画像の出力解像度、ビューア画面と撮影画像の配置情報、及び入力画像と表示する画像のフォーマットの情報を受信する。ここで画像のフォーマットとは、ＲＡＷ画像、ビットマップ画像、ｔｉｆ画像等の画像のファイル形式を示す。画像配置部１０３は、出力解像度とビューア画像と撮影画像の配置情報とに応じて、受信した撮影画像をアスペクト比を維持したまま拡大又は縮小し、ビューア画面と合成する。画像配置部１０３は、合成した画像を後段の入出力Ｉ／Ｆ１０５へ出力する。
【００４４】
画面生成部１０４は、図２（ａ）に示すようなビューア画面を生成し、画像配置部１０３へ送る。また制御部１０２から、ユーザ操作に応じたメニュー等のＧＵＩ表示の指示を
受けると、ビューア画面に追加するＧＵＩの画像を生成し、画像配置部１０３へ送る。ビューア画面のサイズは制御部１０２から設定される。
【００４５】
入出力Ｉ／Ｆ１０５は、画像配置部１０３、制御部１０２と接続している。入出力Ｉ／Ｆ１０５は、画像・データ入出力部１６と接続している。入出力Ｉ／Ｆ１０５は、画像配置部１０３から入力される画像、及び制御部１０２から入力される注目領域の座標を、画像・データ入出力部１６を介して、表示装置１へ出力する。一方、入出力Ｉ／Ｆ１０５は、画像・データ入出力部１６を介して、表示装置１から、バックライトのブロック分割数及びブロックの座標の情報を受け取り、制御部１０２へ送る。以上がビューア１５の機能ブロックの説明である。
【００４６】
ワークステーション１３の画像・データ入出力部１６は、ビューア１５及び表示装置１と接続している。画像・データ入出力部１６は、ビューア１５から入力される画像及び注目領域の座標を、表示装置１に出力する。また表示装置１から入力されるバックライトのブロック分割数及びブロックの座標の情報をビューア１５に送る。なお、表示装置１とワークステーション１３とは、有線又は無線で接続され、画像やデータの送受信が行われる。有線接続の規格としては、例えばディスプレイポートがある。この場合、データの送受信は、ディスプレイポートで定められているＡＵＸチャンネルで行う。なお、接続規格はこれに限らず、例えばＨＤＭＩ（登録商標）（High-Definition Multimedia Interface）や、ＬＡＮ（Local Area Network）でもよい。
【００４７】
以上、実施例１の表示システムによれば、ユーザにより指定された注目領域に対応するバックライトのブロックの輝度を通常のブロックの輝度よりも高くすることで、注目領域におけるＪＮＤ値のとれる範囲が広くなる。これにより、注目領域において階調分解能が高い表示が可能となるので、精度の高い診断が可能となる。また、注目領域以外の通常のバックライトのブロックは、注目領域のバックライトのブロックより低い輝度で点灯するので、注目領域を高輝度にしてもハローの発生を抑制できる。また、通常のブロックの輝度は高くしないので、消費電力の増加を抑制できる。
【００４８】
（実施例２）
実施例１ではユーザがビューアで指定した注目領域に対応するバックライトのブロック（ブーストブロック）の情報が表示装置に通知され、表示装置はブーストブロックのバックライトの輝度を通常のブロックの輝度より明るくした。これにより、注目領域におけるＪＮＤ値のとれる範囲を広くして医師が特に注目して診断したい領域を高い階調分解能で表示するとともに、ハローの発生や消費電力の増加を抑制し妨害感と消費電力を抑制できることを説明した。これに対し、実施例２では、ユーザが指定した注目領域の画像を拡大表示するとともに、当該拡大された注目領域に対応するバックライトのブロックをブーストブロックとして通常のブロックより輝度を高くする。これにより、注目領域における画像診断の精度のさらなる向上が可能となる。
【００４９】
実施例２における表示システムの機能ブロック図は実施例１の図１とほぼ同様である。相違点は、ワークステーションのビューアである。実施例２では、ワークステーションのビューアに関して、実施例１との相違点を中心に説明する。なお、実施例２では、ワークステーションの符号を２００、ビューアの符号を２０１とし、実施例１のワークステーション１３，ビューア１５と区別する。
図７にビューア２０１の機能ブロック図を示す。ビューア２０１は、ネットワークＩ／Ｆ１００、ユーザＩ／Ｆ１０１、制御部２１０、画像拡大部２１１、画像配置部２１２、画面生成部１０４、注目領域計算部２１３、入出力Ｉ／Ｆ１０５で構成される。実施例１で既に説明した機能については説明を省略する。
【００５０】
実施例２では、ユーザの指示で図４のように注目領域が指定されると、図８に示すように、指定された注目領域を拡大した画像を撮影画像に重畳して表示し、拡大画像の領域に対応するバックライトのブロックの輝度を通常のブロックより高くする。図８において、オブジェクト２５０は撮影画像に含まれるオブジェクト画像、注目領域２５１はユーザが指定した注目領域、拡大画像２５２は注目領域２５１を縦、横に４倍に拡大した画像である。制御部２１０は、ユーザＩ／Ｆ１０１から注目領域を指定する指示を受けると、画像拡大部２１１に対し、注目領域の位置及び拡大率の情報を送る。図８の例では、制御部２１０は、矩形の注目領域２５１の４つの頂点の画素の座標と、拡大率４倍という情報を画像拡大部２１１に送る。また、制御部２１０は、注目領域計算部２１３から、拡大画像に対応するバックライトのブロックの座標を受信する。制御部２１０は、入出力Ｉ／Ｆ１０５に対し、受信したブロックの座標をブーストブロック座標として出力する。
【００５１】
画像拡大部２１１は、制御部２１０から拡大する注目領域の座標と拡大率を受信する。画像拡大部２１１は、ネットワークＩ／Ｆ１００から入力画像を受信し、注目領域の画像を切り出し、拡大画像を生成する。画像拡大部２１１は、生成した拡大画像を画像配置部２１２に送る。
【００５２】
画像配置部２１２は、実施例１の画像配置部１０３と同様に、ネットワークＩ／Ｆ１００から受信した撮影画像、画像拡大部２１１から受信した拡大画像、画面生成部１０４から受信したビューア画面のＧＵＩを構成する画像を合成する。画像配置部２１２は、制御部２１０から、撮影画像、拡大画像、ビューア画面の配置情報を取得し、配置情報に従ってビューア画面上に撮影画像や拡大画像を合成する。画像配置部２１２は、合成した画像を入出力Ｉ／Ｆ１０５へ送る。また、画像配置部２１２は、拡大画像の座標（拡大画像が矩形の場合、例えば４つの頂点の画素の座標）の情報を注目領域計算部２１３へ送る。
【００５３】
注目領域計算部２１３は、画像配置部２１２から受信した拡大画像の座標から、拡大画像に対応するバックライトのブロックの座標を計算する。注目領域計算部２１３は、計算したブロックの座標を制御部２１０へ送る。
注目領域は１又は複数の分割領域からなり、各分割領域は各ブロックに対応する画像の領域であるから、拡大率が整数倍であれば、拡大画像の面積は分割領域の面積の整数倍となる。画像配置部２１２が、拡大画像の頂点の位置が分割領域の頂点と一致するように配置する場合、拡大画像は、整数個の分割領域からなる。よって、拡大画像に対応するブロックは、拡大画像を構成する複数の分割画像に対応する複数のブロックとなる。
【００５４】
なお、拡大画像の拡大率は整数倍でなくても良いし、拡大画像を配置する位置は分割領域の位置と一致していなくても良い。この場合、例えば、拡大画像を包含する複数の分割領域に対応するブロックを、拡大画像に対応するブロックとしても良い。あるいは、分割領域内にある拡大画像の割合が閾値以上であるような分割領域に対応するブロックを、拡大画像に対応するブロックとしても良い。
【００５５】
以上、実施例２の表示システムによれば、ユーザにより指定された注目領域を拡大した拡大画像に対応するバックライトのブロックの輝度を通常のブロックの輝度よりも高くすることで、拡大領域におけるＪＮＤ値のとれる範囲が広くなる。これにより、ユーザは、注目領域を拡大してより詳細に観察することができるとともに、拡大画像を高い階調分解能で表示することが可能となるので、より精度の高い診断が可能となる。また、注目領域以外の通常のバックライトのブロックは、注目領域のバックライトのブロックより低い輝度で点灯するので、注目領域を高輝度にしてもハローの発生を抑制できる。また、通常のブロックの輝度は高くしないので、消費電力の増加を抑制できる。
【００５６】
（実施例３）
実施例１、２では、１つの表示装置を有する表示システムに本発明を適用した例を説明したが、実施例３では、第１の表示装置と第２の表示装置の２つの表示装置を有する表示システムに本発明を適用した実施例を説明する。実施例３では、ユーザが第１の表示装置で指定した注目領域（第１注目領域）に対応する領域を、第２の表示装置に表示された比較対象の画像から探す（第２注目領域）。第１の表示装置において第１注目領域に対応するバックライトのブロックと、第２の表示装置において第２注目領域に対応するバックライトのブロックとを、ブーストブロックとして通常のブロックより高輝度で点灯させる。これにより、２つの表示装置を用いて比較診断する際も、妨害感と消費電力を低減しつつ、医師が特に注目して診断したい領域を、２つの表示装置の両方において高い階調分解能で表示することができ、より精度の高い診断が可能となる。
【００５７】
図９は実施例３における表示システムの機能ブロック図を示す。図９の表示システムは、表示装置３００、表示装置３０１、表示装置３００及び表示装置３０１に撮影画像データを出力するワークステーション３１０で構成される。表示装置３００の機能ブロックは実施例１の表示装置１と同様なので説明を省略する。また表示装置３０１は表示装置３００と同じ構成である。
【００５８】
ワークステーション３１０は、データ入出力部１４、入力装置１７、ビューア３１１、マルチ画像・データ入出力部３１２で構成される。
ビューア３１１は、マルチ画像・データ入出力部３１２を介して、表示装置３００及び表示装置３０１へ画像を出力する。ビューア３１１は、表示装置３００及び表示装置３０１のブーストブロックの座標を決定し、マルチ画像・データ入出力部３１２に出力する。また、ビューア３１１は、マルチ画像・データ入出力部３１２を介して、表示装置３００及び表示装置３０１から、バックライトのブロック分割数及びブロックの座標の情報を受信する。ビューア３１１は、データ入出力部１４から、表示装置３００及び表示装置３０１に表示する撮影画像及び撮影条件の情報を取得する。以下にビューア３１１の構成について説明する。
【００５９】
ビューア３１１の機能ブロックを図１０に示す。ビューア３１１は、ネットワークＩ／Ｆ１００、ユーザＩ／Ｆ１０１、制御部３５０、画像配置部３５１、画面生成部３５２、特徴量取得部３５３、領域特定部３５４、マルチ入出力Ｉ／Ｆ３５５で構成される。
【００６０】
制御部３５０は、ユーザＩ／Ｆ１０１から受けたユーザの指示に従って、２つの撮影画像をネットワークＩ／Ｆ１００を介して取得する。実施例３では、図１１に示すように、２つの表示装置を用いて、画像を比較して診断する場合を想定する。例えば、一方の表示装置（第１の表示装置）に最新の撮影画像（第１撮影画像）を表示し、他方の表示装置（第２の表示装置）に過去の撮影画像（第２撮影画像）を表示することで比較診断する場合を考える。オブジェクト４００、オブジェクト４０２は、それぞれ最新の撮影画像、過去の撮影画像における診断対象のオブジェクトを示す。図１１の矩形領域４０１は、医師が特に注目して診断したい領域として指定した注目領域（第１注目領域）を示す。実施例３では、表示装置３００において注目領域が指定さる場合を例に説明するが、表示装置３０１において注目領域が指定される場合も同様である。なお、ここでは、ユーザが一方の表示装置で指定した注目領域を第１注目領域、他方の表示装置における第１注目領域に対応する注目領域を第２注目領域とする。
【００６１】
制御部３５０は、表示装置３００において最新の撮影画像内に注目領域（図１１の領域４０１）を指定する情報をユーザＩ／Ｆ１０１から受信すると、第１注目領域の座標を求める。注目領域を指定する指示から注目領域の座標を求める方法は実施例１と同様である。制御部３５０は、第１注目領域の座標第１注目領域に対応する表示装置３００のバックライトのブロック（第１ブーストブロック）の座標を求め、第１ブーストブロック座標と
してマルチ入出力Ｉ／Ｆ３５５に出力する。
【００６２】
制御部３５０は、第１注目領域の座標、表示装置３００及び表示装置３０１のバックライトのブロック数、ブロックの座標、及び第１撮影画像と第２撮影画像の背景閾値の情報を領域特定部３５４に送る。背景閾値は、撮影画像において、オブジェクト（被写体）が写っている部分（オブジェクト画像）以外の背景部分であるか否かを特徴量に基づき判定するための閾値である。制御部３５０は、入力画像がＲＡＷ画像データの場合、撮影情報に基づき、背景閾値を求める。例えば、制御部３５０は、撮影情報のうち、放射線のエネルギー強度及び撮像プレートの感度の設定値から、被写体が存在しない領域の受信強度を計算し、その値から背景閾値を求める。制御部３５０は、領域特定部３５４に、表示装置３０１に表示される過去の撮影画像において第１注目領域に対応する領域（第２注目領域）を求めるよう指示する。領域特定部３５４が第２注目領域を求める方法は後述する。
【００６３】
制御部３５０は、領域特定部３５４から、過去の撮影画像における第２注目領域の座標を受け取り、第２注目領域に対応する表示装置３０１のバックライトのブロック（第２ブーストブロック）の情報をマルチ入出力Ｉ／Ｆ３５５に出力する。制御部３５０は、画像配置部３５１に対し、受信した２つの撮影画像を、２つの表示装置の各々の解像度（画素数）に応じて、２つの表示装置の各々に表示するよう指示する。制御部３５０は、表示装置３００及び表示装置３０１の解像度、受信した２つの撮影画像の解像度、及び画面生成部３５２で生成されるビューア画面上での撮影画像の配置情報を、画像配置部３５１に送る。制御部３５０は、画面生成部３５２に対し、２つの撮影画像を並べて表示する場合のメニュー等のビューアのＧＵＩを構成する画像を生成するよう指示する。
【００６４】
画像配置部３５１は、最新の撮影画像及び過去の撮影画像をネットワークＩ／Ｆ１００から受信する。また、画像配置部３５１は、表示装置３００及び表示装置３０１の解像度、２つの撮影画像の解像度、及びビューア画面における撮影画像の配置情報を受信する。画像配置部３５１は、受信した撮影画像を、アスペクト比を維持したまま、２つの表示装置の解像度と、撮影画像の配置情報と、に応じて拡大又は縮小し、画面生成部３５２から受信したビューア画面の画像と合成する。画像配置部３５１は、合成した画像を後段のマルチ入出力Ｉ／Ｆ３５５へ出力する。
【００６５】
画面生成部３５２は、制御部３５０の指示により、２つの表示装置に、２つの撮影画像を別々に表示するためのメニュー等のＧＵＩを構成する画像を作成する。画面生成部３５２は、作成したメニュー等のＧＵＩを構成する画像を画像配置部３５１に出力する。
【００６６】
特徴量取得部３５３は、画像配置部３５１から出力された２つの表示装置に出力される２つの撮影画像の特徴量を取得する。この特徴量は、領域特定部３５４で、一方の表示装置で指定された注目領域（第１注目領域）に対応する、他方の表示装置の注目領域（第２注目領域）の座標を求めるために用いられる。特徴量取得部３５３は、表示装置のバックライトのブロック分割の態様に応じて画像を分割領域に分割し、分割領域毎に特徴量を取得する。例えば、表示装置３００及び表示装置３０１のバックライトのブロック分割数がともに、水平方向に５、垂直方向に７であるとする。また、図１１に示すような撮影画像が表示装置３００及び表示装置３０１に出力されるとする。この場合、特徴量取得部３５３で取得される特徴量は、図１２のようになる。図１２（ａ）は表示装置３００に出力される撮影画像の特徴量、図１２（ｂ）は表示装置３０１に出力される撮影画像の特徴量を示す。特徴量取得部３５３は、領域特定部３５４から、表示装置３００及び表示装置３０１のバックライトのブロック分割数及びブロックの座標を取得し、これに基づき、特徴量を取得する。特徴量取得部３５３は、取得した特徴量を領域特定部３５４に送る。
【００６７】
領域特定部３５４は、表示装置３００（第１の表示装置）で指定された第１注目領域の
情報から、表示装置３０１（第２の表示装置）において第１注目領域に対応する第２注目領域を求める。領域特定部３５４は、第２注目領域の情報を制御部３５０に送る。領域特定部３５４はまず、特徴量取得部３５３から取得した特徴量に基づき、撮影画像から背景領域及びメニュー領域（メニュー等のＧＵＩ画像からなる分割領域）を除いたオブジェクト領域を求める。
【００６８】
領域特定部３５４は、制御部３５０から受け取った表示装置３００の撮影画像（第１撮影画像）と表示装置３０１の撮影画像（第２撮影画像）の背景閾値の情報に基づき、第１撮影画像及び第２撮影画像における背景領域を求める。例えば、領域特定部３５４は、特徴量が背景閾値以下の分割領域を背景領域とする。また、特徴量が背景閾値より大きく、所定の閾値以下の分割領域をメニュー領域とする。この閾値は、ビューアアプリケーションのＧＵＩを構成する画像の画素値等に基づき決められる。ここでは、ビューアアプリケーションのＧＵＩが、撮影画像中のオブジェクト画像の画素値として一般的な値より小さい画素値の画像で構成されているとする。ここでは、例えば、実施例１において、診断領域であるか背景領域であるかの判定に用いた閾値を用いても良い。すなわち、実施例１において背景領域と判定された分割領域のうち、特徴量が背景閾値より大きい分割領域をメニュー領域と判定するというように考えることもできる。
【００６９】
領域特定部３５４は、オブジェクト領域の水平方向の大きさの最大値及び垂直方向の大きさの最大値を分割領域単位で求める。また、領域特定部３５４は、オブジェクト領域の最も左上の位置に対応する分割領域の座標を求める。例えば図１２（ａ）の例では、オブジェクト領域の水平方向の大きさは、座標：２から座標４までにわたる部分で最大であり、水平方向の大きさの最大値は分割領域単位で３である。垂直方向の大きさの最大値は、座標：２から座標６までにわたる部分であり、分割領域単位で５である。オブジェクト領域の最も左上の位置の分割領域の座標は（２，２）である。図１２（ｂ）のオブジェクト領域の水平方向の大きさの最大値、垂直方向の大きさの最大値、最も左上の分割領域の座標は、図１２（ａ）と同じである。
【００７０】
領域特定部３５４は、制御部３５０から取得した表示装置３００の注目領域（第１注目領域）の座標に基づき、表示装置３００における第１注目領域に対応するバックライトのブロック（第１ブーストブロック）の座標を求める。
図１２（ａ）と図１２（ｂ）のように、オブジェクト領域の大きさや最も左上の分割領域の座標が全て同じ値である場合、領域特定部３５４は、表示装置３００の第１注目領域の座標を、対応する表示装置３０１の第２注目領域の座標とする。そして、第２注目領域に対応する表示装置３０１のバックライトのブロックを第２ブーストブロックとする。すなわちこの場合、第２ブーストブロックの座標は、第１ブーストブロックの座標と同じになる。
【００７１】
一方、図１２（ｃ）のように、表示装置３０１の撮影画像におけるオブジェクト領域の大きさや位置が、表示装置３００の撮影画像におけるオブジェクト領域の大きさや位置と異なる場合は次のように第２注目領域及び第２ブーストブロックを求める。図１２（ｃ）では、表示装置３０１の撮影画像におけるオブジェクト領域の水平方向の大きさの最大値は、座標：２から座標４までにわたる部分であり、分割領域単位で３である。垂直方向の大きさの最大値は座標：２から座標７までにわたる部分であり、分割領域単位で６である。表示装置３０１の撮影画像におけるオブジェクト領域の垂直方向の大きさが、表示装置３００の撮影画像におけるオブジェクト領域の垂直方向の大きさの１．２倍（＝６÷５）である。この場合、領域特定部３５４は、表示装置３００における第１注目領域の座標を垂直方向に１．２倍した値を表示装置３０１の第２注目領域の座標として決定する。このとき、オブジェクト領域の最も左上の分割領域の座標をオフセット値として用いる。
【００７２】
例えば、表示装置３００の第１注目領域の座標が、図１２（ａ）の（３，４）であるとする。オブジェクト領域の最も左上の分割領域の座標は（２，２）、表示装置３００の第１注目領域の座標が（３，４）であることから、表示装置３０１における第２注目領域の垂直方向の座標は、以下の式１で求められる。
（第１注目領域座標−第１注目領域の左上座標）×長さの倍率＋第２注目領域の左上座標  （式１）
【００７３】
上記の例の場合、（４−２）×１．２＋２＝４．４となる。この場合、表示装置３０１の撮影画像において、座標（３，４）〜（３，５）の間に第２注目領域があるので、第２注目領域に対応する第２ブーストブロックの座標は（３，４）、及び（３，５）と決定される。領域特定部３５４は、このように決定した表示装置３０１の第２ブーストブロックの座標を制御部３５０に送る。
【００７４】
なお、上記の例では、第２注目領域の座標が第２の表示装置３０１の注目領域の格子点上にない場合（整数値でない場合）、第２注目領域を包含する分割領域群に対応するブロック群を第２ブーストブロックとした。しかし、第２注目領域と共通部分を有する分割領域のいずれかに対応するブロックを第２ブーストブロックとしても良い。その場合、例えば、第２注目領域との共通部分の面積が最も大きい分割領域に対応するブロックを第２ブーストブロックとしても良い。また、第２注目領域の少なくとも一部を包含する分割領域に対応するブロックを第２ブーストブロックとしても良い。
【００７５】
上記の例では、水平方向についてはオブジェクト領域の大きさが２つの表示装置で同じ場合を例に説明したが、水平方向でもオブジェクト領域の大きさが２つの表示装置で異なっていても良い。その場合、上記と同様、第２注目領域を包含する分割領域群に対応するブロック群を第２ブーストブロックとしても良いし、第２注目領域との共通部分の面積に基づき第２ブーストブロックとするブロックを決定しても良い。
【００７６】
また、上記の例では第１の表示装置３００と第２の表示装置３０１のバックライトのブロック分割が同じである場合を説明したが、２つの表示装置でブロック分割が異なっていても良い。その場合、領域特定部３５４は、例えば、２つの表示装置のブロック分割数の違いの情報（例えば水平方向のブロック分割数の比、垂直方向のブロック分割数の比）を用いて、第１注目領域に対応する第２注目領域の座標を求めることができる。例えば、第１の表示装置３００の水平方向のブロック分割数が７、第２の表示装置３０１の水平方向のブロック分割数が１４であるとすると、式１は次のように書き換えられる。
（第１注目領域座標−第１注目領域の左上座標）×分割数比＋第２注目領域の左上座標
（式２）
ここで、分割数比は上記の例では１４／７で２である。
【００７７】
マルチ入出力Ｉ／Ｆ３５５は、画像配置部３５１から出力された表示装置３００及び表示装置３０１で表示するための撮影画像を受け取り、マルチ画像・データ入出力部３１２へ送る。また制御部３５０から表示装置３００及び表示装置３０１のブーストブロック座標を受け取り、マルチ画像・データ入出力部３１２へ送る。制御部３５０は、マルチ画像・データ入出力部３１２を介して、表示装置３００及び表示装置３０１のバックライトのブロック分割数及びブロックの座標を受け取る。
【００７８】
以上、実施例３の表示システムによれば、第１の表示装置においてユーザにより指定さ
れた第１注目領域に対応するブロックと、第２の表示装置における第１注目領域に対応する第２注目領域に対応するブロックと、が通常のブロックより高輝度で点灯する。２つの表示装置に２種類の撮影画像を表示させて比較診断する際に、第１注目領域と第２注目領域の両方においてＪＮＤ値のとれる範囲が広くなる。これにより、２つの表示装置の両方において、注目領域における階調分解能の高い表示が可能となるため、精度の高い診断が可能となるとともに、ハローによる妨害感や消費電力の増加を抑制することも可能となる。
【００７９】
上記各実施例では、ＪＮＤ値と輝度との関係に基づく変換テーブルを持ち手画像データを補正する例を説明したが、画像データの補正に用いる変換テーブルはこれに限らない。バックライトの輝度を高くすることにより高い階調分解能で表示することができるという特徴は画像データの補正に用いる変換テーブルによらない。しかし、モダリティで得られたモノクロ（グレースケール）の医用画像を表示する場合にはＪＮＤ値と輝度との関係に基づく変換テーブルを用いることでより自然な階調特性でグレースケール表示が可能となるので好ましい。
【００８０】
実施例３において、２つの表示装置を並べた表示システムに本発明を適用した例を説明したが、３つ以上の表示装置を並べた表示システムにも本発明を適用できる。その場合、いずれか１つの表示装置に表示された撮影画像においてユーザが指定した注目領域に対応する他の表示装置における注目領域は、実施例３と同様の方法で求められる。
【００８１】
上記各実施例では、ユーザが注目領域を指定する操作として、一点を指定する操作を例示したが、これに限らない。例えば、ユーザが四角形、円、その他任意の形状の領域を描画する操作をすることで注目領域を指定できるようにしても良い。その場合、ユーザが描画した領域又はその少なくとも一部を包含する分割領域や、ユーザが描画した領域に含まれる分割領域等を、注目領域とすることができる。
実施例３において、オブジェクト領域の大きさを分割領域単位で求める例を説明したが、これに限らない。例えば画素単位で求めても良いし、分割領域より細かい単位又は荒い単位で求めても良い。
【００８２】
上記各実施例では、注目領域として指定された分割領域に対応するブーストブロックでは、注目領域として指定されていない分割領域に対応する通常のブロックに対し、所定の倍率で高い輝度に設定する例を説明した。しかし、ブーストブロックの輝度を通常のブロックの輝度に対して高くする方法はこれに限らない。通常のブロックについては、分割領域の特徴量に応じて第１の輝度範囲で各ブロックの輝度を設定し、ブーストブロックについては、分割領域の特徴量に応じて第１の輝度範囲よりも少なくとも高輝度側に広い第２の輝度範囲で輝度を設定すれば良い。あるいは、ブーストブロックでは、通常のブロックに対し、所定の輝度だけオフセットしても良い。例えば、通常のブロックでは背景領域の輝度レベル１，診断領域の輝度レベル２の場合に、ブーストブロックでは背景領域の輝度レベル２、診断領域の輝度レベル３にする（オフセット１）。また、ローカルディミングにおいて分割領域の特徴量に応じて輝度レベルを２種類に可変制御する例を説明したが、輝度レベルの可変値の種類は２以上でも良い。その場合、注目領域に対応するブーストブロックと通常のブロックとでは、分割領域の特徴量が同じでもローカルディミングで設定される輝度レベルがブーストブロックの方が通常のブロックより高くなるようにすれば良い。また、注目領域に対応するブーストブロックの輝度を固定値（例えばバックライトに可能な最大輝度）に設定しても良い。
【００８３】
上記各実施例では、ワークステーションが注目領域の情報からブーストブロックの位置を求めて表示装置へ出力し、表示装置がワークステーションからブーストブロックの情報を取得して、バックライトを制御する例を説明した。しかし、ワークステーションが注目
領域の情報を表示装置へ出力し、表示装置がワークステーションから注目領域の情報を取得して、注目領域の情報からブーストブロックの位置を求め、バックライトを制御しても良い。
【００８４】
上記実施例３において、ワークステーションが、一方の表示装置の画像において指定された注目領域に対応する他方の表示装置の画像における注目領域を求め、各表示装置におけるブーストブロックの位置を求め、各表示装置へ出力した。しかし、このワークステーションの機能を複数の表示装置のうちのいずれか１つのマスタの表示装置が有する構成でも良い。その場合、自機（マスタの表示装置）が、他の表示装置（スレーブ）からバックライトのブロックの情報を取得し、スレーブの表示装置へブーストブロックの情報を出力するようにしても良い。スレーブの表示装置は、他の表示装置（マスタ）で表示する画像においてユーザが指定した注目領域（第１指定領域）、第１指定領域に対応する自機における領域である第２指定領域、又は第２指定領域に対応する自機のバックライトのブロックの情報を取得する。スレーブの表示装置は、第１指定領域の情報と、２つの表示装置のブロックの情報と、から第２指定領域を求め、第２指定領域に対応するブロックを求めても良い。あるいは、スレーブの表示装置は、第２指定領域の情報から、第２指定領域に対応するブロックを求めても良い。あるいは、スレーブの表示装置は、第２の指定領域に対応するブロックの情報を取得し、当該ブロックをブーストブロックとして通常のブロックより高輝度で点灯させるようにしても良い。
【００８５】
上記実施例において、出力装置にユーザが入力した注目領域の情報に基づき、出力装置がブーストブロックを決定し、ブーストブロックの情報を表示装置へ送信する構成を例示した。そして、ブーストブロックを具体的にどのような輝度で発光させるかについては表示装置において決定される構成を例示した。しかし、ブーストブロックの輝度を指定する情報まで出力装置側で決定して、ブーストするブロック及びその輝度を指定（指示）する情報を出力装置から表示装置へ送信するようにしても良い。
【００８６】
なお、注目領域を指定する指示を入力する方法は、上述の各実施例に記載した方法以外にも種々の方法が考えられる。それらの入力方法も本発明に適用することが可能である。例えば、ユーザのジェスチャーを撮像装置により撮像し、撮像した動画像を解析することでジェスチャーに対応付けられた指示内容を解釈し、当該指示内容に従って注目領域を指定することも可能である。
【００８７】
また、表示装置や出力装置とは別個の指示入力用の装置（入力装置）を用いて、指示を入力することも可能である。そのような構成としては、例えばタブレット端末に診断画像を表示させ、タブレット端末上で領域を指定するユーザ操作を受け付け、当該ユーザ操作に対応する指示が出力装置や表示装置に入力される構成を例示できる。この場合、表示装置や出力装置に備わるユーザ操作を入力する入力手段は、タブレット端末からユーザ操作情報や対応するコマンド内容を無線又は有線で受信する受信手段となる。
【００８８】
また、実施例３において、第１の表示装置と第２の表示装置とが共に同じ画像出力装置に接続されていない構成も考えられる。例えば、第１の表示装置と画像出力装置とが画像ケーブルで接続され物理的に同一の場所に設置されており、第２の表示装置が遠隔地に設置されている状況が考えられる。このような構成により遠隔医療診断等が可能となる。この場合、第１の表示装置と第２の表示装置、または画像出力装置と第２の表示装置が、例えばインターネットやＬＡＮを介して情報の送受信が可能に接続された構成が考えられる。例えば、第１の表示装置や出力装置において注目領域を指定するユーザ操作がなされた場合に、当該ユーザ操作に対応するコマンド（領域情報、ブーストブロック情報、ブースト後の輝度値情報など）がネットワークを介して第２の表示装置に送信される。そして、第２の表示装置は、ネットワークを介して注目領域を指定する情報、ブーストブロック情
報、ブースト後の輝度値情報を受け取り、それに基づきバックライトを制御する。こうすることにより、遠隔地に設置された複数の表示装置において、同じ箇所を高輝度表示することが可能となり、遠隔診断等の場面においてユーザ同士の意思疎通を補助する顕著な効果を奏するシステムを構築することが可能となる。
【００８９】
上記各実施例では、ユーザ操作により指定された領域に対応するバックライトのブロックの輝度を高くする制御を例示したが、本発明は自発光型の表示装置にも適用可能である。例えば有機ＥＬ（Electro-Luminescence）ディスプレイにおいて、指定された領域の輝度を高める制御を行うことができる。また、実施例３において、第１の表示装置と第２の表示装置として、バックライトを有するディスプレイと自発光ディスプレイとが混在するシステムにも本発明を適用することができる。
【００９０】
上記実施例３において、第１の表示装置で表示する画像と第２の表示装置で表示する画像とは同じオブジェクトを撮影した画像であり、第１指定領域の画像と第２指定領域の画像とは当該オブジェクトの同じ撮影条件の画像である。ここで、上記実施例３では、同じ撮影条件としてオブジェクトの同じ位置の画像であったが、撮影条件は位置に限らない。
【００９１】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００９２】
１：表示装置、２：液晶パネル部、３：バックライトモジュール部、４：特徴量検出部、５：制御部、７：輝度決定部、１３：ワークステーション、１５：ビューア、１６：画像・データ入出力部、１７：入力装置
【図１】
2015222422.tif 000003
【図２】
2015222422.tif 000004
【図３】
2015222422.tif 000005
【図４】
2015222422.tif 000006
【図５】
2015222422.tif 000007
【図６】
2015222422.tif 000008
【図７】
2015222422.tif 000009
【図８】
2015222422.tif 000010
【図９】
2015222422.tif 000011
【図１０】
2015222422.tif 000012
【図１１】
2015222422.tif 000013
【図１２】
2015222422.tif 000014